(57)【要約】【課題】カード部材の抜き差しを容易にでき、さらに、開口の防水性を確保でき、加えて、開口に蓋部材を確実に保持できる電子機器を提供する。【解決手段】電子機器１０は、表面１１Ａに表示部１２が設けられた筐体１１と、筐体１１の側面１１Ｃに設けられた開口１５と、開口１５を開閉可能に閉鎖する蓋部材２０と、蓋部材２０の裏面１１Ｂに設けられた筒部２２と、筒部２２の外側面２３に設けられたＯリング３１と、筒部２２の外側面２３におけるＯリング３１よりも蓋部材２０側に設けられた係合部３２とを備えている。係合部３２は、開口１５の内側面１６と筒部２２の外側面２３とが凹凸係合するように形成されている。【選択図】図２
2012231298.tif 000002
【特許請求の範囲】
【請求項１】
表面に表示部が設けられた筐体と、
前記筐体における前記表面と隣り合う側面に設けられた開口と、
前記開口を開閉可能に閉鎖する蓋部材と、
前記蓋部材の裏面に設けられ、前記筐体の厚み方向に対して直交する方向に沿って前記開口に挿入される筒部と、
前記筒部の外側面に設けられ、前記開口の内側面に圧接するＯリングと、
前記筒部の外側面における前記Ｏリングよりも前記蓋部材側に設けられ、前記開口の内側面と、前記筒部の外側面とが凹凸係合する係合部とを備える電子機器。
【請求項２】
請求項１に記載の電子機器において、
前記筐体が、前記表示部が設けられた前記表面の幅寸法よりも前記表面とは反対側の裏面の幅寸法が小さいとともに、前記側面および前記蓋部材が前記表面側から前記裏面側に向かう円弧面とされ、
前記筒部における前記表面側の第１壁部が前記裏面側の第２壁部よりも長いとともに、前記係合部が前記第１壁部と前記開口の内側面とに設けられている電子機器。
【請求項３】
請求項１または請求項２に記載の電子機器において、
前記表示部と前記筐体との間に設けられた両面テープを有し、
前記係合部が前記両面テープよりも前記蓋部材側に設けられている電子機器。
【請求項４】
請求項１ないし請求項３のうちのいずれか１項に記載の電子機器において、
前記筐体に収容された回路基板と、
前記回路基板に実装され、前記開口からカード部材を挿入可能なカードコネクタと、
前記筒部の中空部に設けられたリブとを有し、
前記リブが、前記カードコネクタに対する前記カード部材の相対位置を規制する電子機器。
【発明の詳細な説明】
【技術分野】
【０００１】
本発明は、筐体内のコネクタに筐体の外部からカード部材等の接続を可能にするために筐体にカード部材等を差込可能な開口を備えた電子機器に関する。
【背景技術】
【０００２】
電子機器は、筐体内のコネクタに筐体の外部からカード部材（メモリカード）等を接続することにより、電子機器およびカード部材間でデータを転送する機能を備えている。
この電子機器は、筐体内のコネクタに筐体の外部からカード部材等の接続を可能にするために筐体にカード部材等を差込可能な開口を備えている。
【０００３】
この開口の防水性を確保するために、電子機器のなかには、開口を覆う蓋部材の裏面に環状のパッキンを備えたものがある。
パッキンで蓋部材および開口間の空間を密封して防水性を確保できる（例えば、特許文献１参照）。
【先行技術文献】
【特許文献】
【０００４】
【特許文献１】特開２００９−００５１１３号公報（段落0002〜0005、段落0036、段落0039）
【発明の概要】
【発明が解決しようとする課題】
【０００５】
しかし、特許文献１の蓋部材では、蓋部材を筐体の外部から着脱可能に配置した場合、カード部材の抜き差しを容易にするために開口の形状（すなわち、筐体の形状）を工夫する必要がある。
一方、カード部材の抜き差しを容易に開口を形成した場合には、開口の防水性を確保し、かつ、開口に蓋部材を確実に保持する工夫が必要になる。
【０００６】
本発明は、前述した課題を解決するためになされたものであり、その目的は、カード部材の抜き差しを容易にでき、さらに、開口の防水性を確保でき、加えて、開口に蓋部材を確実に保持できる電子機器を提供することにある。
【課題を解決するための手段】
【０００７】
本発明の電子機器は、表面に表示部が設けられた筐体と、前記筐体における前記表面と隣り合う側面に設けられた開口と、前記開口を開閉可能に閉鎖する蓋部材と、前記蓋部材の裏面に設けられ、前記筐体の厚み方向に対して直交する方向に沿って前記開口に挿入される筒部と、前記筒部の外側面に設けられ、前記開口の内側面に圧接するＯリングと、前記筒部の外側面における前記Ｏリングよりも前記蓋部材側に設けられ、前記開口の内側面と、前記筒部の外側面とが凹凸係合する係合部とを備える。
【０００８】
蓋部材の裏面に筒部を設け、筒部の外側面にＯリングを設けた。このＯリングを開口の内側面に圧接することにより筒部および開口間の空間をＯリングで密封して開口の防水性を確保できる。
さらに、筒部の外側面における蓋部材側に係合部を設けることにより、蓋部材を筐体に確実に保持して蓋部材が筐体から外れることを防止できる。
【０００９】
また、本発明の電子機器は、前記筐体が、前記表示部が設けられた前記表面の幅寸法よりも前記表面とは反対側の裏面の幅寸法が小さいとともに、前記側面および前記蓋部材が前記表面側から前記裏面側に向かう円弧面とされ、前記筒部における前記表面側の第１壁部が前記裏面側の第２壁部よりも長いとともに、前記係合部が前記第１壁部と前記開口の内側面とに設けられている。
【００１０】
筐体の形状を表面の幅寸法より裏面の幅寸法を小さくし、側面を表面側から裏面側に向けて円弧面とした。
この円弧面に開口を形成することにより、開口に指が入りやすくなり、開口へのカード部材の抜き差しを容易にでき、使い勝手の向上が図れる。
【００１１】
一方、筐体の側面を円弧面とすることにより、筐体の表面側に設けられた筒部の第１壁部が筐体の裏面側に設けられた筒体の第２壁部より長くなる。
このため、蓋部材が筒部や蓋部材の自重で開口から離れる（外れる）ことが考えられる。
【００１２】
そこで、請求項２において、第２壁部より長い第１壁部と開口の内側面とに係合部を設けた。よって、第２壁部より長い第１壁部を開口の内側面に係合部で係止できる。
これにより、蓋部材を開口に確実に保持でき、蓋部材が開口から外れることを防止でき、開口の防水性を確保できる。
【００１３】
さらに、本発明の電子機器は、前記表示部と前記筐体との間に設けられた両面テープを有し、前記係合部が前記両面テープよりも前記蓋部材側に設けられている。
【００１４】
ここで、開口の内側面および筒部の外側面に係合部を備えることにより、筐体の外部が係合部を経て表示部および筐体間の空間に連通されることが考えられる。
そこで、請求項３において、表示部および筐体間に両面テープを設け、両面テープより蓋部材側に係合部を設けた。
よって、表示部および筐体間の空間を両面テープで密封できる。
これにより、筐体の外部が表示部および筐体間の空間を経て筐体の内部に連通することを確実に防止でき、開口の防水性を確保できる。
【００１５】
また、本発明の電子機器は、前記筐体に収容された回路基板と、前記回路基板に実装され、前記開口からカード部材を挿入可能なカードコネクタと、前記筒部の中空部に設けられたリブとを有し、前記リブが、前記カードコネクタに対する前記カード部材の相対位置を規制する。
【００１６】
筒部の中空部にリブを設け、リブでカード部材の位置を規制するようにした。
これにより、カード部材の相対位置をカードコネクタに対して規制することが可能になり、カード部材をカードコネクタに確実に接触させた状態に保つことができ、使い勝手の向上が図れる。
【００１７】
さらに、筒部の中空部にリブを設けることにより筒部をリブで補強できる。
これにより、筒部の強度を十分に確保して筒部（すなわち、蓋部材）の着脱を容易におこなうことができる。
【発明の効果】
【００１８】
本発明の電子機器によれば、蓋部材の裏面に筒部を設け、筒部の外側面にＯリングを設けた。Ｏリングを開口の内側面に圧接させて開口の防水性を確保できる。
さらに、筒部の外側面に係合部を設けることにより、蓋部材を筐体に確実に保持して蓋部材が筐体から外れることを防止できる。
【図面の簡単な説明】
【００１９】
【図１】本発明に係る電子機器を示す斜視図
【図２】図１のＩーＩ線断面図
【図３】図１の筐体から蓋部材および筒部を外した状態を示す斜視図
【図４】図３のＩＩ部拡大図
【図５】図４の蓋部材および筒部を背面から見た状態を示す斜視図
【図６】本発明に係る筐体を裏面から見た状態を示す斜視図
【図７】図６のＩＩＩ矢視図
【図８】本発明に係る変形例１の電子機器を示す断面図
【図９】本発明に係る変形例２の電子機器を示す断面図
【図１０】本発明に係る変形例３の電子機器を示す断面図
【発明を実施するための形態】
【００２０】
以下、本発明の実施形態に係る電子機器について図面を参照して説明する。
【００２１】
図１に示すように、本発明の実施形態である電子機器１０は、筐体１１と、筐体１１の表面１１Ａに設けられた表示部１２と、筐体１１に収容された回路基板１３（図２参照）と、回路基板１３に実装されたカードコネクタ１４（図２参照）と、筐体１１に設けられた開口１５とを備えている。
【００２２】
また、図２に示すように、電子機器１０は、開口１５を開閉可能な蓋部材２０と、蓋部材２０に設けられた筒部２２と、筒部２２の中空部２７に設けられたリブ２８と、筒部２２の外側面２３に設けられたＯリング３１とを備えている。
【００２３】
さらに、図２に示すように、電子機器１０は、筒部２２および開口１５に設けられた係合部３２と、表示部１２と筐体１１（表面１１Ａ）との間に設けられた両面テープ３７とを備えている。
【００２４】
図３に示すように、筐体１１は、表面１１Ａ、表面１１Ａとは反対側の裏面１１Ｂ（図６参照）、および表面１１Ａおよび裏面１１Ｂ間の側面１１Ｃで略矩形体状に形成されている。
この筐体１１は、表面１１Ａの幅寸法Ｗ１よりも裏面１１Ｂの幅寸法Ｗ２が小さく形成され、側面１１Ｃが表面１１Ａ側から裏面１１Ｂ側に向かう円弧面とされている。
筐体１１の表面１１Ａに表示部１２が設けられ、筐体１１に回路基板１３およびカードコネクタ１４（図２参照）が収容されている。
【００２５】
図２に示すように、回路基板１３は、筐体１１の内部空間２９に収容されている。
この回路基板１３は、端部１３Ａが開口１５に対向する位置に配置され、表示部１２と略平行に配置されている。
【００２６】
カードコネクタ１４は、回路基板１３の端部１３Ａに実装されることにより、開口１５からカード部材３９を挿入可能な位置に配置されている。
【００２７】
図４に示すように、開口１５は、筐体１１の側面１１Ｃに設けられ、内側面１６（図２も参照）を有する。内側面１６は、上内側面１６Ａと、下内側面１６Ｂ（図２も参照）とを有する。
ここで、筐体１１の側面１１Ｃは、表面１１Ａ側から裏面１１Ｂ側に向けて円弧面に形成されている。円弧面の側面１１Ｃに開口１５が形成されている。
【００２８】
円弧面の側面１１Ｃに開口１５が形成されることにより、図２に示すように、上内側面１６Ａの開口奥行きＤ１が下内側面１６Ｂの開口奥行きＤ２より大きく形成されている。
よって、開口１５へのカード部材（メモリカード）３９の抜き差しの際に開口１５に指が入りやすくなる。これにより、開口１５へのカード部材３９の抜き差しを容易にでき、使い勝手の向上が図れる。
【００２９】
図４に示すように、蓋部材２０は、開口１５を開閉可能に閉鎖する部材である。
この蓋部材２０は、筐体１１の側面１１Ｃと同様に、表面１１Ａ側から裏面１１Ｂ側に向かう円弧面とされている。
蓋部材２０の裏面２０Ａ（図２参照）に筒部２２が設けられている。
【００３０】
筒部２２は、蓋部材２０の裏面２０Ａから筐体１１の内部に向けて突出され、筐体１１の厚み方向（矢印Ａ方向）に対して直交する方向（矢印Ｂ方向）に沿って開口１５に挿入可能に形成されている。
【００３１】
図５に示すように、筒部２２は、略楕円状に形成された中空部であり、筐体１１の表面１１Ａ（図４参照）側に第１壁部２４が設けられ、筐体１１の裏面１１Ｂ（図４参照）側に第２壁部２５が設けられている。
【００３２】
図２に示すように、第１壁部２４は、蓋部材２０から先端部２４Ａまでの長さがＬ１に形成されている。
第２壁部２５は、蓋部材２０から先端部２５Ａまでの長さがＬ２に形成されている。
第１壁部２４は、長さＬ１が第２壁部２５の長さＬ２よりも長くなるように形成されている。
【００３３】
リブ２８は、筒部２２の中空部２７に設けられ、カードコネクタ１４に対するカード部材３９の相対位置を規制する部材である。
【００３４】
筒部２２の中空部２７にリブ２８を設けることにより、カード部材３９の相対位置をカードコネクタ１４に対して規制することが可能になる。
これにより、カード部材３９をカードコネクタ１４に確実に接触させた状態に保つことができ、使い勝手の向上が図れる。
【００３５】
さらに、図５に示すように、筒部２２の中空部２７にリブ２８を設けることにより筒部２２をリブ２８で補強できる。
これにより、筒部２２の強度を十分に確保して筒部２２（すなわち、蓋部材２０）の着脱を容易におこなうことができる。
【００３６】
図２に示すように、Ｏリング３１は、筒部２２の外側面２３のうち環状溝部２３Ａに設けられ、開口１５の内側面１６（図４も参照）に圧接するシール部材である。
このＯリング３１を開口１５の内側面１６に圧接することにより筒部２２および開口１５間の空間をＯリング３１で密封して開口１５の防水性を確保できる。
【００３７】
さらに、筒部２２の外側面２３におけるＯリング３１より蓋部材２０側に係合部３２を設けた。
蓋部材２０側に係合部３２を設けることにより、蓋部材２０が筐体１１から外れることを防止できる。
【００３８】
係合部３２は、第１壁部２４と開口１５の内側面１６とに設けられることにより、開口１５の内側面１６（上内側面１６Ａ）と、筒部２２の外側面２３（第１壁部２４）とが凹凸係合する部位である。
この係合部３２は、筒部２２の外側面２３におけるＯリング３１よりも蓋部材２０側に設けられ、かつ、両面テープ３７よりも蓋部材２０側に設けられている。
【００３９】
ここで、係合部３２について具体的に説明する。
すなわち、係合部３２は、第１壁部２４に設けられた複数の係合突起４１（図５も参照）と、内側面１６の上内側面１６Ａに設けられた複数の係合孔４２（図６も参照）とを備えている。
【００４０】
図５に示すように、係合突起４１は、第１壁部２４（図２も参照）から上内側面１６Ａに向けて突出されることにより円柱状に形成されている。
この係合突起４１は、蓋部材２０や筒部２２より軟らかい材質で形成されている。
また、蓋部材２０や筒部２２は同じ材質で弾性変形可能に形成されている。
よって、蓋部材２０、筒部２２および係合突起４１は、例えば、二色成形で一体に成形される。
【００４１】
図６、図７に示すように、係合孔４２は、上内側面１６Ａに形成された円形状の貫通孔（図２も参照）である。
図２に示すように、係合孔４２に係合突起４１が嵌入されている。前述したように、係合突起４１は筒部２２より軟らかい材質で弾性変形可能に形成されている。
【００４２】
よって、係合突起４１を弾性変形させることにより、係合突起４１を係合孔４２に密着させた状態に容易に嵌入でき、開口１５に蓋部材２０を容易に着脱できる。
係合孔４２に係合突起４１が密着された状態に嵌入されることにより、開口１５の内側面１６（上内側面１６Ａ）と、筒部２２の外側面２３（第１壁部２４）とが凹凸係合する。
【００４３】
ここで、筐体１１の側面１１Ｃを円弧面とすることにより、第２壁部２５は、長さＬ２が第１壁部２４の長さＬ１よりも短くなるように形成されている。
このため、蓋部材２０が筒部２２や蓋部材２０の自重で開口１５から離れる（外れる）ことが考えられる。
【００４４】
そこで、第２壁部２５より長い第１壁部２４と開口１５の内側面１６とに係合部３２を設けた。よって、第２壁部２５より長い第１壁部２４を開口１５の内側面１６に係合部３２で係止できる。
これにより、蓋部材２０を開口１５に確実に保持でき、蓋部材２０が開口１５から外れることを防止でき、開口１５の防水性を確保できる。
【００４５】
両面テープ３７は、表示部１２の裏面１２Ａと筐体１１の表面１１Ａとの間に設けられ、一方の接着面３７Ａが表示部１２の裏面１２Ａにされ、他方の接着面３７Ｂが筐体１１の表面１１Ａにされている。
【００４６】
ここで、開口１５の内側面１６および筒部２２の外側面２３に係合部３２を備えられている。よって、筐体１１の外部４８が、係合部３２（具体的には、係合突起４１および係合孔４２間の隙間）を経て表示部１２および筐体１１間の空間３８に連通されることが考えられる。
【００４７】
そこで、表示部１２および筐体１１間に両面テープ３７を設け、両面テープ３７より蓋部材２０側に係合部３２を設けた。
よって、表示部１２および筐体１１間の空間３８を両面テープ３７で密封できる。
これにより、筐体１１の外部４８が表示部１２および筐体１１間の空間３８を経て筐体１１の内部空間２９に連通することを確実に防止でき、開口１５の防水性を確保できる。
【００４８】
次に、実施形態の変形例１〜変形例３の係合部を図８〜図１０に基づいて説明する。
（変形例１）
図８に示す変形例１の係合部５０は、実施形態の係合孔４２を係合孔５２に代えたもので、その他の構成は実施形態の係合部３２と同様である。
係合孔５２は、内側面１６の上内側面１６Ａに設けられた凹みである。
【００４９】
係合孔５２を凹みとすることにより、実施形態の係合部３２のように、筐体１１の外部４８が、係合突起４１および係合孔４２間の隙間）を経て表示部１２および筐体１１間の空間３８に連通されることがない。
これにより、両面テープ３７を、実施形態のように、蓋部材２０から係合部３２より離れた側に設ける必要がない。
従って、両面テープ３７を設ける位置を決める際の設計の自由度高めることができる。
【００５０】
（変形例２）
図９に示す変形例２の係合部６０は、実施形態の係合突起４１を係合突起６１に代え、かつ、係合孔４２を係合孔６２に代えたものである。
係合突起６１は、内側面１６の上内側面１６Ａに設けられている。
係合孔６２は、筒部２２の第１壁部２４に設けられた凹みである。
【００５１】
係合孔６２を凹みとすることにより、変形例１と同様に、筐体１１の外部４８が表示部１２および筐体１１間の空間３８に連通されることがない。
これにより、両面テープ３７を、実施形態のように、蓋部材２０から係合部６０より離れた側に設ける必要がない。
従って、両面テープ３７を設ける位置を決める際の設計の自由度高めることができる。
【００５２】
（変形例３）
図１０に示す変形例３の係合部７０は、実施形態の係合突起４１を係合突起７１に代え、かつ、係合孔４２を係合孔７２に代えたものである。
係合突起７１は、筒部２２の第１壁部２４に設けられ、先端に爪部７１Ａを有する。
係合孔７２は、内側面１６の上内側面１６Ａに設けられた貫通孔で、爪部７１Ａが係止する係止凹部７２Ａが形成されている。
【００５３】
係合突起７１の爪部７１Ａを係合孔７２の係止凹部７２Ａに係止させることにより、開口１５の内側面１６（上内側面１６Ａ）と、筒部２２の外側面２３（第１壁部２４）とが凹凸係合する。
【００５４】
よって、係合突起７１を弾性変形させて、係合突起７１を係合孔７２に密着させた状態に嵌入させる必要がない。
これにより、係合突起７１を蓋部材２０や筒部２２と同じ材質で形成できるので、蓋部材２０、筒部２２および係合突起４１を二色成形で成形する必要がない。
【００５５】
なお、本発明に係る電子機器は、前述した実施形態に限定されるものではなく適宜変更、改良等が可能である。
例えば、実施形態で使用した電子機器、筐体、表示部、回路基板、カードコネクタ、開口、蓋部材、筒部、リブ、Ｏリング、係合部、両面テープおよびカード部材等の形状や構成は例示したものに限定するものではなく適宜変更が可能である。
【産業上の利用可能性】
【００５６】
本発明は、筐体にカード部材等を差込可能な開口を備え、筐体の外部から筐体内のコネクタにカード部材等の接続を可能とした電子機器への適用に好適である。
【符号の説明】
【００５７】
１０  電子機器
１１  筐体
１１Ａ  表面
１１Ｂ  裏面
１１Ｃ  側面
１２  表示部
１３  回路基板
１４  カードコネクタ
１５  開口
１６  開口の内側面
２０  蓋部材
２０Ａ  蓋部材の裏面
２２  筒部
２３  筒部の外側面
２４  第１壁部
２５  第２壁部
２７  中空部
２８  リブ
３１  Ｏリング
３２，５０，６０，７０  係合部
３７  両面テープ
３９  カード部材
Ｗ１  表面の幅寸法
Ｗ２  裏面の幅寸法
【図１】
2012231298.tif 000003
【図２】
2012231298.tif 000004
【図３】
2012231298.tif 000005
【図４】
2012231298.tif 000006
【図５】
2012231298.tif 000007
【図６】
2012231298.tif 000008
【図７】
2012231298.tif 000009
【図８】
2012231298.tif 000010
【図９】
2012231298.tif 000011
【図１０】
2012231298.tif 000012